(57)【要約】【課題】棚パネルなどとして所要の剛性、強度性をもたせるため、中空二重壁構造として、例えば棚パネルの場合にはその下面壁となる一方の壁に凹状リブを形成したものであっても、汚れがつきにくいうえ、汚れても清掃が容易にできる樹脂製中空二重壁構造体を提供する。【解決手段】樹脂性中空二重壁構造体である棚パネル１は、熱可塑性樹脂材料をブロー成形して得られるものである。棚パネル１の一方の壁２の一部を、その一方の壁２と対向する他方の壁３に向けて膨出させて凹状リブ６を形成する。凹状リブ６は、一方の壁２の表面に開口する面がなだらかな凹曲面をなしている。一方の壁２に形成される凹状リブ６の膨出部は他方の壁３に溶着して、一方の壁２と他方の壁３とを凹状リブ６により一体化する。凹状リブ６の一方の壁２の表面に開口する面が半球面ないしは略半球面をなしている。【選択図】　　　　図２
2004058630.tif 000002
【特許請求の範囲】
【請求項１】
熱可塑性樹脂材料をブロー成形して得られる樹脂性中空二重壁構造体であって、
中空二重壁構造体の一方の壁の一部を、その一方の壁と対向する他方の壁に向けて膨出させて他方の壁に近接させるように凹状リブを形成し、
上記凹状リブは、一方の壁の表面に開口する面がなだらかな凹曲面をなしていることを特徴とする樹脂製中空二重壁構造体。
【請求項２】
中空二重壁構造体の一方の壁に形成される他方の壁に向けて膨出させた凹状リブを他方の壁に溶着して、一方の壁と他方の壁とを凹状リブにより一体化したことを特徴とする請求項１記載の樹脂製中空二重壁構造体。
【請求項３】
凹状リブの一方の壁の表面に開口する面が半球面ないしは略半球面をなしていることを特徴とする請求項１または２記載の樹脂製中空二重壁構造体。
【請求項４】
熱可塑性樹脂材料をブロー成形して得られる樹脂性中空二重壁構造体は、浴室を構成する成形品または浴室で使用される成形品であることを特徴とする請求項１、２または３記載の樹脂製中空二重壁構造体。
【発明の詳細な説明】
【０００１】
【発明の属する技術分野】
本発明は、熱可塑性樹脂材料をブロー成形して得られる樹脂製中空二重壁構造体であって、浴室の壁面に取り付ける浴室用の棚パネルなどとして用いられる樹脂製中空二重壁構造体に関するものである。
【０００２】
【従来の技術】
浴室には、壁面に石鹸やシャンプー、化粧小物などを載せる棚が備えられているが、この棚はたとえ下面であっても汚れやすいので、汚れがつきにくいことと併せて容易に清掃できることが好ましい。また、この種の棚パネルは、物をのせても変形しないように、剛性、強度性にすぐれたものであることが求められるので、その一方の壁の凹状リブを他方の壁に向けて形成し、凹状リブを介して両壁を溶着一体化することが行われている（特開平９−１２３２６１号公報参照）。
【０００３】
【発明が解決しようとする課題】
しかしながら、前掲の特開平９−１２３２６１号公報に示すように凹状リブを形成したパネルにあっては、凹状リブ内に汚れがたまりやすいうえ、その汚れの清掃が容易でないのが実情である。
【０００４】
そこで、本発明の目的は、棚パネルなどとして所要の剛性、強度性をもたせるため、中空二重壁構造として、例えば棚パネルの場合にはその下面壁となる一方の壁に凹状リブを形成したものであっても、汚れがつきにくいうえ、汚れても清掃が容易にできる樹脂製中空二重壁構造体を提供するものである。
【０００５】
【課題を解決するための手段】
上記目的を達成するための本発明の請求項１に係る樹脂製中空二重壁構造体は、熱可塑性樹脂材料をブロー成形して得られる樹脂性中空二重壁構造体であって、中空二重壁構造体の一方の壁の一部を、その一方の壁と対向する他方の壁に向けて膨出させて他方の壁に近接させるように凹状リブを形成し、上記凹状リブは、一方の壁の表面に開口する面がなだらかな凹曲面をなしていることを特徴とするものである。
【０００６】
また、請求項２に係る樹脂製中空二重壁構造体は、請求項１記載の樹脂製中空二重壁構造体において、中空二重壁構造体の一方の壁に形成される他方の壁に向けて膨出させた凹状リブを他方の壁に溶着して、一方の壁と他方の壁とを凹状リブにより一体化したことを特徴とするものである。
【０００７】
また、請求項３に係る樹脂製中空二重壁構造体は、請求項１または２記載の樹脂製中空二重壁構造体において、凹状リブの一方の壁の表面に開口する面が半球面ないしは略半球面をなしていることを特徴とするものである。
【０００８】
さらに、請求項４に係る樹脂製中空二重壁構造体は、請求項１、２または３記載の樹脂製中空二重壁構造体において、熱可塑性樹脂材料をブロー成形して得られるものであり、浴室を構成する成形品または浴室で使用される成形品であることを特徴とするものである。
【０００９】
【発明の実施の形態】
図面には本発明に係る樹脂製中空二重壁構造体として浴室の棚パネルを例示している。図１は本発明の一実施の形態に係る浴室の棚パネルの斜視図、図２は図１のＡ−Ａ線矢視方向の部分断面図、図３は浴室に本発明に係る棚パネルによる棚を備えた態様を示す斜視図、図４は図３の要部詳細斜視図、図５は同上折り上げた態様を示す斜視図である。
【００１０】
図１および図２において、１は棚パネルである。この棚パネル１は、樹脂製中空二重壁構造体でなり、２は棚の下面となる一方の壁、３はその上面となる他方の壁。４は中空部である。棚パネル１の基端側は、その両端部を切り欠いたように張出部５が一体に形成されており、その張出部５は、他方の壁３を一方の壁２に近づけた薄板状に形成されている。
【００１１】
一方の壁２には、その基端側で張出部５にかかる部位に、凹状リブ６が横一列状に多数形成されている。この凹状リブ６は、一方の壁２を他方の壁３方向に膨出させて形成されたものであって、凹状リブ６の膨出部は、他方の壁３と張出部５との境をなす立ち上がり部７に溶着され、一方の壁２と他方の壁３とが凹状リブ６によって一体化されている。
【００１２】
凹状リブ６は、一方の壁２の表面に開口する面が半球面ないしは略半球面をなすものである。なお、この凹状リブ６は、一方の壁２の表面に開口しているので、清掃が容易であるために、できるだけ浅くかつ一方の壁２の表面側からみて屈曲部分のない緩やかな曲面であることが好ましい。
【００１３】
図３に示す浴室８には、その壁面９に棚１０が備えたれており、１１は鏡である。１２は浴槽、１３は出入口扉である。
【００１４】
棚１０は、棚基部１４と、棚基部１４による棚面を拡張する棚拡張部１５とで構成され、棚基部１４に対して棚拡張部１５が棚面拡張姿勢で係止固定され、かつ垂直に折り上げ可能となっている。棚１０の棚拡張部１５は、図１に示すような棚パネルで構成される。なお、図３ないし図５に示す態様にあっては、棚拡張部１５を構成する棚パネルが図１に示すもののような張出部５はなく、その基端側両端部の一方の壁２に係止凹部１６，１６が形成されたものである。そして、棚基部１４の両端には、棚拡張部１５の係止凹部１６，１６に対応する係止突部１７，１７が形成されていて、棚拡張部１５を水平姿勢に支持するようになっている。
【００１５】
上記のもののように、棚１０は棚拡張部１５により、棚基部１４の棚面を広くしたり狭くすることができるので、入浴時など棚を使用するときは棚面を広くし、使用しないときには棚面を狭くしておくことができて、使用上便利であるうえ、浴室の構造上やまた浴室の機能面からみても好適である。
【００１６】
本発明に係る棚パネル１は、ブロー成形された中空二重壁構造体である。そして、それを構成する熱可塑性樹脂は、高密度ポリエチレン樹脂、ポリプロピレン樹脂、ポリスチレン樹脂、ＡＢＳ樹脂、ナイロン樹脂、ポリカーボネート樹脂、ポリエチレンテレフタート樹脂、ポリブチレンテレフタート樹脂あるいは変性ＰＰＯなどのエンジニアリングプラスチックおよびこれらのブレンド体である。
【００１７】
さらに、熱可塑性樹脂の単体だけでなく、表面に抗菌性の素材からなる層を構成したり、あるいは上記の熱可塑性樹脂に抗菌性樹脂を混入することも可能である。そして、このようにすることによって、浴室にありがちな表面のヌメリやカビの発生を防止することができる。
【００１８】
本発明に係る棚パネル１は、その一方の壁２にその表面に開口する凹状リブ６が形成されていても、その凹状リブ６は少なくとも半球状であるから、凹状リブ６には汚れがたまりにくいうえ、汚れても一方の壁２の表面を拭くだけで、凹状リブ６内の汚れも容易清掃できるものである。また、本発明に係る棚パネル１は、その一方の壁２と他方の壁３とが凹状リブ６により溶着一体化されているので、剛性および強度性にすぐれている。
【００１９】
【発明の効果】
本発明によれば、棚パネルなどとして所要の剛性、強度性をもたせるため、中空二重壁構造として、例えば棚パネルの場合にはその下面壁となる一方の壁に凹状リブを形成したものであっても、汚れがつきにくいうえ、汚れても清掃が容易にできる樹脂製中空二重壁構造体を提供することができる。
【図面の簡単な説明】
【図１】本発明の一実施の形態に係る浴室の棚パネルの斜視図である。
【図２】図１のＡ−Ａ線矢視方向の部分断面図である。
【図３】浴室に本発明に係る棚パネルによる棚を備えた態様を示す斜視図である。
【図４】図３の要部詳細斜視図である。
【図５】同上折り上げた態様を示す斜視図である。
【符号の説明】
１　棚パネル
２　一方の壁
３　他方の壁
４　中空部
５　張出部
６　凹状リブ
７　立ち上がり部
８　浴室
９　壁面
１０　棚
１１　鏡
１２　浴槽
１３　出入口扉
１４　棚基部
１５　棚拡張部
１６，１６　係止凹部
１７，１７　係止突部
【図１】
2004058630.tif 000003
【図２】
2004058630.tif 000004
【図３】
2004058630.tif 000005
【図４】
2004058630.tif 000006
【図５】
2004058630.tif 000007